(57)【要約】【課題】蓋体を確実に小型化できる家庭用電気製品を提供する。【解決手段】本体１２と蓋体２４とを備え、蓋体２４に開放用の操作部材６２と、操作部材６２の操作に連動するロック部６４とを有する家庭用電気製品（炊飯器１０）において、蓋体２４は、外側の第１蓋部材２５と、内側の第２蓋部材３９とを有し、操作部材６２は、露出部３５に配置される操作部６３と、操作部６３の両側より突出する軸部６５とを有し、操作部材６２を、コイル状のバネ本体６８と、操作部６３を付勢する第１付勢部６９と、第１または第２蓋部材２５，３９を付勢する第２付勢部７０とを有するキックバネ６７により、外向きに付勢しており、キックバネ６７のバネ本体６８を、操作部材６２の軸部６５を除く位置に配設する。【選択図】図１
2008023176.tif 000002
【特許請求の範囲】
【請求項１】
上方に開口部を有する機器本体と、該機器本体に回転可能に取り付けられて前記開口部を開閉可能に閉塞する蓋体とを備え、前記蓋体に開放用の操作部材と、該操作部材の操作に連動するロック部とを有する家庭用電気製品において、
前記蓋体は、前記操作部材を露出させる露出部を有する外側の第１蓋部材と、該第１蓋部材の内側に配設され前記開口部を閉塞する第２蓋部材とを有し、
前記操作部材は、前記露出部に配置される操作部と、両側より突出する軸部とを有し、
前記操作部材を、コイル状のバネ本体と、該バネ本体の一端より突出して前記操作部材を付勢する第１付勢部と、前記バネ本体の他端より突出して前記第１または第２蓋部材を付勢する第２付勢部とを有するキックバネにより、外向きに付勢しており、
前記キックバネのバネ本体を、前記操作部材、第１蓋部材および第２蓋部材のうち、前記操作部材の軸部を除く位置に配設したことを特徴とする家庭用電気製品。
【請求項２】
前記蓋体は、前記機器本体とのヒンジ接続部に配設したヒンジスプリングによって開き方向に付勢されたもので、
前記キックバネの第２付勢部を付勢させる支持壁部を、前記第１または第２蓋部材において、前記第２付勢部による付勢力が前記蓋体の開放方向に対して略直交方向に作用するように設けたことを特徴とする請求項１に記載の家庭用電気製品。
【請求項３】
前記第２蓋部材に、前記キックバネのバネ本体を収容し、前記第２付勢部を付勢させる凹部を設けたことを特徴とする請求項１または請求項２に記載の家庭用電気製品。
【請求項４】
前記第１蓋部材に、前記凹部内に挿入して配置され、前記キックバネのバネ本体を凹部との間に挟み込んで位置決めするリブを設けたことを特徴とする請求項３に記載の家庭用電気製品。
【請求項５】
前記操作部材の軸部を受ける軸受部を、前記第２蓋部材に設けたことを特徴とする請求項１乃至請求項４のいずれか１項に記載の家庭用電気製品。
【発明の詳細な説明】
【技術分野】
【０００１】
本発明は、炊飯器や電気ポットなどの家庭用電気製品に関するものである。
【背景技術】
【０００２】
本発明の家庭用電気製品に関連する先行技術文献情報としては次のものがある。
【０００３】
【特許文献１】特開２００５−１５２１１７号公報
【０００４】
この特許文献では、炊飯器本体に回動可能に取り付けられ、ヒンジスプリングによって常に開き方向に付勢された蓋体を有する炊飯器において、開放用の操作部材を開放操作した際に、操作部材を外向きに付勢する付勢手段の付勢力によって再ロックする問題を防止できるようにした炊飯器が記載されている。
【０００５】
具体的には、この炊飯器の蓋体は、操作部材を露出させる露出部を有する外側の第１蓋部材と、該第１蓋部材の内側に配設され前記開口部を閉塞する第２蓋部材とを備えている。また、操作部材は、前記露出部に配置される操作部と、該操作部の両側より突出する軸部とを備えている。さらに、この操作部材を外側に付勢する付勢手段としては、コイル状をなすバネ本体の両端から接線方向に延びる付勢部をそれぞれ設けたキックバネが使用されている。
【０００６】
そして、操作部材の軸部にキックバネのバネ本体を外嵌させた状態で、第２蓋部材の軸受部に回転可能に軸着させ、第１付勢部を操作部に突設した取付部に係止させるとともに、第２付勢部を第２蓋部材に対して垂直方向に延びる面に係止させる。これにより、キックバネによって作用する操作方向（垂直方向）の反力を軽減させ、ロック部の再ロックを抑制できるように構成している。
【０００７】
しかしながら、この特許文献の蓋体は、操作部材の軸部に、キックバネの嵌合代と、軸受部への取付代を設ける必要があるため、軸部が長尺になる。また、第２蓋部材において、操作部材の横には、キックバネの配設スペースを設ける必要がある。その結果、蓋体が大型化するという問題がある。
【発明の開示】
【発明が解決しようとする課題】
【０００８】
本発明は、従来の問題に鑑みてなされたもので、蓋体を確実に小型化できる家庭用電気製品を提供することを課題とするものである。
【課題を解決するための手段】
【０００９】
前記課題を解決するため、本発明の家庭用電気製品は、上方に開口部を有する機器本体と、該機器本体に回転可能に取り付けられて前記開口部を開閉可能に閉塞する蓋体とを備え、前記蓋体に開放用の操作部材と、該操作部材の操作に連動するロック部とを有する家庭用電気製品において、前記蓋体は、前記操作部材を露出させる露出部を有する外側の第１蓋部材と、該第１蓋部材の内側に配設され前記開口部を閉塞する第２蓋部材とを有し、前記操作部材は、前記露出部に配置される操作部と、両側より突出する軸部とを有し、前記操作部材を、コイル状のバネ本体と、該バネ本体の一端より突出して前記操作部材を付勢する第１付勢部と、前記バネ本体の他端より突出して前記第１または第２蓋部材を付勢する第２付勢部とを有するキックバネにより、外向きに付勢しており、前記キックバネのバネ本体を、前記操作部材、第１蓋部材および第２蓋部材のうち、前記操作部材の軸部を除く位置に配設した構成としている。
【００１０】
この家庭用電気製品は、キックバネのバネ本体を操作部材の軸部を除く位置に配設しているため、操作部材の軸部の突出代を低減できる。その結果、蓋体全体の小型化を図ることができる。
【００１１】
具体的には、この家庭用電気製品では、前記蓋体は、前記機器本体とのヒンジ接続部に配設したヒンジスプリングによって開き方向に付勢されたもので、前記キックバネの第２付勢部を付勢させる支持壁部を、前記第１または第２蓋部材において、前記第２付勢部による付勢力が前記蓋体の開放方向に対して略直交方向に作用するように設けることが好ましい。ここで、蓋体の開放方向とは、該蓋体を閉塞状態から開放を開始した際の回動軌跡の接線方向を意味する。このようにすれば、操作部材を開放操作した際に、蓋体の開放方向に対して逆向きに作用するキックバネの反力を低減できる。その結果、操作部材を開放操作したにも拘わらず、ロック部が再ロックして蓋体を開放できないという不都合を防止できる。
【００１２】
また、前記第２蓋部材に、前記キックバネのバネ本体を収容し、前記第２付勢部を付勢させる凹部を設けることが好ましい。
この場合、前記第１蓋部材に、前記凹部内に挿入して配置され、前記キックバネのバネ本体を凹部との間に挟み込んで位置決めするリブを設けることが好ましい。
さらに、前記操作部材の軸部を受ける軸受部を、前記第２蓋部材に設けることが好ましい。
このようにすれば、キックバネの組付作業性を向上できるとともに、配設状態を安定させることができる。
【発明の効果】
【００１３】
本発明の家庭用電気製品では、キックバネのバネ本体を操作部材の軸部を除く位置に配設しているため、操作部材の軸部の突出代を低減でき、蓋体全体の小型化を図ることができる。また、キックバネの第２付勢部を付勢させる支持壁部を、第１または第２蓋部材において、第２付勢部による付勢力が蓋体の開放方向に対して略直交方向に作用するように設けているため、開放操作時の再ロックを確実に防止できる。
【発明を実施するための最良の形態】
【００１４】
以下、本発明の実施の形態を図面に従って説明する。
【００１５】
図１および図２は、本発明の実施形態に係る家庭用電気製品である炊飯器１０を示す。この炊飯器１０は、炊飯鍋１１を着脱可能に収容する炊飯器本体１２と、該炊飯器本体１２の上端開口を閉塞する蓋体２４とを備えたものである。
【００１６】
まず、炊飯器本体１２は、図１に詳細に示すように、鏡面仕上げを施した金属（ステンレス）製の筒体からなる胴体１３と、該胴体１３の上端開口に配設した円環状の肩体１４と、胴体１３の底に配設した底体１５とを有する外装体を備えている。前記肩体１４の背面側には、後述する蓋体２４を開閉可能に軸着するためのヒンジ接続部１６が設けられている。このヒンジ接続部１６には、従来と同様に、後述する蓋体２４を開放方向に付勢するヒンジスプリング１６ａが配設されている。また、肩体１４の正面側には、蓋体２４を開放不可能にロックするためのロック爪部１７が設けられている。このロック爪部１７は、略逆Ｌ字形状に突出したフック形状のものである。
【００１７】
前記外装体の内部には、炊飯鍋１１を着脱可能に収容する肩体１４の開口部１８から下向きに延びる内胴１９が配設され、この内胴１９の底に加熱ヒータを配設した略椀状の加熱板（図示せず）が配設されるとともに、該加熱板の中央に炊飯鍋１１の温度を検出する温度センサ（図示せず）が貫通するように配設されている。
【００１８】
本実施形態の炊飯器本体１２は、前記肩体１４が胴体１３よりフランジ状をなすように外方に突出するように形成され、その突出部分正面側に操作パネル２０が設けられている。この操作パネル２０には、肩体１４に設けた孔に別体の操作釦２１ａ〜２１ｅを配設するとともに、これら操作釦２１ａ〜２１ｅの背部（内部）にスペーサセット２２が配設され、このスペーサセット２２の背部にスイッチを実装したスイッチ基板２３が配設されている。
【００１９】
本発明の蓋体２４は、炊飯器本体１２に対して背面側のヒンジ接続部１６で開閉可能に軸着され、炊飯器本体１２の開口部１８、即ち、内部に装着した炊飯鍋１１の開口縁を密閉状態に閉塞する平面視円形状のもので、第１蓋部材２５と、該第１蓋部材２５の下側に配設される第２蓋部材３９と、前記第１蓋部材２５の上側表面に配設される装飾カバー５６とを備えている。
【００２０】
前記第１蓋部材２５は樹脂製であり、図４および図５に示すように、上向きに湾曲した円板状をなし、その上面には、同心円からなる複数の環状リブ２６と、これら環状リブ２６の中心から放射状に延びる放射状リブ２７とが設けられている。この第１蓋部材２５は、前後方向の寸法が蓋体２４の略全長にかけて延び、左右方向の寸法が蓋体２４の全幅より小さく形成されている。そして、第１蓋部材２５の背面側には、ヒンジ接続部１６を覆うように扇型形状とした排気部２８が設けられている。この排気部２８は、複数のスリットからなる排気口２９を備え、その内面側には、円筒状に突出する筒部３０が設けられている。また、第１蓋部材２５の側面には、垂直下向きに延びる側壁部３１が設けられ、この側壁部３１に下向きに湾曲するように突出する４個の弾性係止片３２が設けられている。なお、第１蓋部材２５の正面側外周縁は、弾性は殆ど具備しない幅広の係止片３３を構成する。さらに、第１蓋部材２５の下面には、ネジを締め付ける筒状のネジ止め部３４が突設されている。
【００２１】
そして、本実施形態の第１蓋部材２５には、正面側中央に蓋体２４を開放操作するための操作部材６２を露出させるための露出部３５が設けられている。この露出部３５は、背面側に位置する半円状穴部３５ａと、該半円状穴部３５ａに連続した矩形状穴部３５ｂとを有する形状をなす。また、半円状穴部３５ａの縁には、操作部材６２の背部を覆うガイド壁３６が設けられている。このガイド壁３６の中央には、キックバネ６７の第１付勢部６９を挿通する挿通溝３７が設けられている。また、このガイド壁３６の更に外面側には、後述する第２蓋部材３９の凹部５３内に挿入配置され、キックバネ６７のバネ本体６８を凹部５３との間に挟み込んで位置決めするとともに、第２付勢部７０を凹部５３の支持壁部５４との間に挟み込んで位置決めするためのリブ３８が設けられている。
【００２２】
前記第２蓋部材３９は、図４および図６に示すように、第１蓋部材２５の内（下）側にネジ止めにより固定され、炊飯器本体１２の開口部１８を覆う平面視円形状をなす樹脂製のものである。この第２蓋部材３９は、上向きに隆起した形状をなし、その外周縁部４０は、後述する装飾カバー５６より僅かに小さい円形状に形成され、外から目視できないように構成されている。この第２蓋部材３９の上面には、第１蓋部材２５の下面に当接する補強リブ４１が平面視で格子状をなすように突設されている。そして、この第２蓋部材３９の背面側には、ヒンジ接続部１６に開閉可能に取り付けるための接続部４２が設けられるとともに、排気部２８に接続する排気筒部４３が設けられている。また、第２蓋部材３９には、ネジ止め部３４に対応するネジ挿通孔４４が設けられている。さらに、この第２蓋部材３９の下部には内蓋取付部４５が設けられている。なお、この内蓋取付部４５に取り付ける内蓋４６は、図２に示すように、金属製の内蓋本体４７の外周部に炊飯鍋１１の開口縁をシールするシール部材４８を配設するとともに、排気筒部４３を貫通して排気部２８に進入される排気部材４９を配設したものである。
【００２３】
そして、本実施形態では、第２蓋部材３９の正面側の隆起面に後述する操作部材６２を回動可能に受ける軸受部５０が設けられている。この軸受部５０は、前記露出部３５において、前記矩形状穴部の前端縁の下部に位置する。また、隆起面の基部である前記外周縁部４０の内側には、操作部材６２のロック部６４を貫通させる貫通孔５１が設けられている。さらに、軸受部５０の背面側には、露出部３５の下側に位置し、前記補強リブ４１が設けられていない矩形状の空間からなる操作部材配設部５２が設けられている。この操作部材配設部５２の背部には、キックバネ６７のバネ本体６８を収容する凹部５３が、囲繞するように突設した補強リブ４１の壁面により形成されている。
【００２４】
前記凹部５３において、操作部材配設部５２の側に位置する補強リブ４１の壁面は、キックバネ６７の第２付勢部７０を付勢させる支持壁部５４を構成する。この支持壁部５４は、第２付勢部７０による付勢力を蓋体２４の開放方向に対して略直交方向に作用させるものである。ここで、蓋体２４の開放方向とは、該蓋体２４を閉塞状態から開放を開始した際の回動軌跡の接線方向を意味しており、本実施形態では略垂直上向きである。また、本実施形態では、蓋体２４を開放するための操作部材６２の操作方向は、前記蓋体２４の開放方向とは逆向きの略垂直下向きである。そこで、前記支持壁部５４は、操作部材６２の操作部６３の操作方向である略垂直方向に沿って略平行に延びる垂直の壁により構成し、第２付勢部７０による付勢力を操作部６３の操作方向に対して略直交方向に作用させることにより、開放方向に対して略直交方向に付勢力が作用するように構成している。なお、この支持壁部５４の端部には、キックバネ６７の第１付勢部６９を操作部材配設部５２に進出させるための挿通溝５５が形成されている。
【００２５】
前記装飾カバー５６は、胴体１３と同様に鏡面仕上げを施した金属（ステンレス）製のもので、図３および図４に示すように、第１蓋部材２５の排気部２８および露出部中の操作部材６２を除く蓋体２４の全面を覆う形状のものである。具体的には、装飾カバー５６は、上向きに湾曲する平面視円形状のもので、第１蓋部材２５の排気部２８と対応する位置には扇形状の切欠部５７が設けられるとともに、露出部３５と対応する位置には露出孔５８が設けられている。これら切欠部５７および露出孔５８の内周縁には、内向きに突出する折返部５９が設けられている。また、切欠部５７において最も中心に近い内端である頂部、および、露出孔５８において最も中心に近い内端には、折返部５９の先端から更に下向きに突出する係合爪６０が設けられている。そして、本実施形態では、前記切欠部５７を除く外周縁に、径方向内側に向けて水平方向に突出するフランジ部６１が設けられている。
【００２６】
前記操作部材６２は、図１および図６に示すように、前記露出部３５および露出孔５８から外部に露出される円形状の操作部６３と、該操作部６３の一側から下向きに突出されたロック部６４と、前記軸受部５０に回転可能に保持される軸部６５とを備えている。前記操作部６３は、上向きに隆起した円板の外周部に筒状の外周部を設けたものである。この操作部６３には、ロック部６４の逆側の下縁に、キックバネ６７の第１付勢部６９を挿通係止する係止溝６６が設けられている。前記ロック部６４は、前記操作部６３の操作に連動して、前記ロック爪部１７に着脱可能にロックされる爪を有するものである。前記軸部６５は、前記操作部６３とロック部６４との境界部分から両側に突出するように設けた比較的短尺な棒状のものである。ここで、この操作部材６２に対して、前記第２蓋部材３９の軸受部５０は、軸部６５の基部を保持するように位置されている。
【００２７】
前記キックバネ６７は、コイル状のバネ本体６８と、該バネ本体６８の一端より突出する第１付勢部６９と、前記バネ本体６８の他端より突出する第２付勢部７０とを有するものである。前記バネ本体６８は、前記操作部材６２の軸部６５を除く位置である第２蓋部材３９の凹部５３に収容配置されている。前記第１付勢部６９は、第２蓋部材３９の各挿通溝３７，５５を通って操作部６３の係止溝６６に下側から挿入係止され、該操作部６３を下側より外向きに付勢するものである。前記第２付勢部７０は、第２蓋部材３９の凹部５３の支持壁部５４に沿って上向きに延びるように配置され、該支持壁部５４を操作部６３の操作方向に対して略直交する方向である略水平方向に付勢するものである。また、この第２付勢部７０は、第２蓋部材３９に対して第１蓋部材２５を組み付けることにより、前記凹部５３の壁面（支持壁部５４）と第１蓋部材２５のリブ３８との間に挟み込まれて位置決め保持される。
【００２８】
前記構成の蓋体２４を組み立てる際には、まず、第１蓋部材２５に対して装飾カバー５６を配置し、第１蓋部材２５に対して装飾カバー５６を押圧する。これにより、第１蓋部材２５の弾性係止片３２が装飾カバー５６のフランジ部６１の内端縁に当接し、弾性係止片３２が弾性的に内側に撓み、該弾性係止片３２の先端がフランジ部６１の内端縁を越えると、弾性係止片３２がフランジ部６１の上面に係止する。なお、この第１蓋部材２５と装飾カバー５６の組立時には、前方の係止片３３が殆ど撓まないため、該係止片３３をフランジ部６１の上面に係止させた後、背面側を押圧するようにして係止することが好ましい。その後、係合爪６０を折り曲げて装飾カバー５６と第１蓋部材２５とを離脱不可能に固着する。
【００２９】
また、第２蓋部材３９の凹部５３にキックバネ６７のバネ本体６８を配置し、第２付勢部７０を支持壁部５４に沿わせて上向きに配置するとともに、第１付勢部６９を挿通溝５５を通して正面側に向けて延びるように位置させる。その後、第２蓋部材３９に対して操作部材６２のロック部６４を貫通させた後、軸部６５を軸受部５０に嵌め込んで回転可能に軸着する。この際、操作部材６２の操作部６３の下縁にキックバネ６７の第１付勢部６９を位置させ、係止溝６６に第１付勢部６９を係止させる。これにより、操作部材６２およびキックバネ６７は、軸受部５０から軸部６５が離脱するような強い外力が加えられない限り、離脱することなく、組付状態が確実に維持される。
【００３０】
ついで、操作部材６２の操作部６３が露出部３５および露出孔５８を貫通して装飾カバー５６から露出するように、かつ、第１蓋部材２５のリブ３８が第２蓋部材３９の凹部５３内に進入するように、第１蓋部材２５と第２蓋部材３９とを位置調整して配置し、第２蓋部材３９のネジ挿通孔４４を貫通させて第１蓋部材２５のネジ止め部３４にネジを締め付けて固定する。
【００３１】
このように、本発明の炊飯器１０では、キックバネ６７のバネ本体６８を操作部材６２の軸部６５を除く位置に配設しているため、軸部６５の突出代を低減できる。その結果、蓋体２４全体の小型化を図ることができる。また、支持壁部５４は、第２付勢部７０による付勢力を蓋体２４の開放方向に対して略直交方向に作用させるように、操作部材６２の操作方向に沿って延びるように設け、操作部材６２の操作方向に対して略直交する方向に作用する構成としている。そのため、操作部材６２を開放操作した際に、蓋体２４の開放方向に対して逆方向に作用する反力（付勢力）を低減できる。その結果、操作部材６２を開放操作したにも拘わらず、ロック部６４が再ロックして蓋体２４を開放できないという不都合を防止できる。
【００３２】
さらに、前記第２蓋部材３９に、前記キックバネ６７のバネ本体６８を収容する凹部５３を設けている。しかも、前記第１蓋部材２５には、前記凹部５３内に進入してバネ本体６８を凹部５３との間に挟み込んで位置決めするリブ３８を設けている。そのうえ、操作部材６２の軸部６５を受ける軸受部５０を、第２蓋部材３９に設けている。そのため、操作部材６２およびキックバネ６７を含む蓋体２４の組立作業性を向上できるとともに、組立状態を安定させることができる。
【００３３】
なお、本発明の家庭用電気製品は、前記実施形態の構成に限定されるものではなく、種々の変更が可能である。
【００３４】
例えば、前記実施形態では、第２蓋部材３９にキックバネ６７を配置して、第１蓋部材２５に対して組み付けるようにしたが、図７に示すように、第１蓋部材２５のリブ３８に平面視Ｌ字形状に突出する装着部７１を設け、該装着部７１にキックバネ６７のバネ本体６８を挿通して配置し、第２蓋部材３９に対して組み付ける構成としてもよい。この場合、組立作業性を考慮すれば、操作部材６２を受ける軸着部も第１蓋部材２５に設けることが好ましい。但し、前記実施形態のように、キックバネ６７は第２蓋部材３９に配設し、操作部材６２は第１蓋部材２５に配設する構成であれば、比較的組立作業性は良好である。勿論、図７に示す装着部７１を操作部材６２の操作部６３内に設け、第２付勢部７０を第１蓋部材２５または第２蓋部材３９に付勢させることも可能である。即ち、操作部材６２の軸部６５を除く位置にキックバネ６７のバネ本体６８を配設する構成とすれば、前記と同様の作用および効果を得ることができる。
【００３５】
また、キックバネ６７の第２付勢部７０が付勢する支持壁部５４は、凹部５３の壁面により構成したが、凹部５３の正面側に第１蓋部材２５のリブ３８を位置させ、このリブ３８で支持壁部５４を構成させてもよい。
【００３６】
さらに、前記実施形態では、キックバネ６７の第２付勢部７０を、その付勢力が蓋体２４の開放方向に対して略直交する方向に作用するように構成したが、図８に示すように、蓋体２４の開放方向に沿った向きに作用する構成としてもよい。勿論、キックバネ６７の第１付勢部６９は、操作部材６２から突出するように設けた係止片６６'を外向きに付勢する構成としてもよく、操作部材６２を外向きに付勢できる構成であれば種々の変更が可能である。
【００３７】
また、前記実施形態では、本発明の特徴である操作部材６２およびキックバネ６７の取付構造を炊飯器１０に適用したが、電気ポットにも適用可能である。言い換えれば、本発明は炊飯器１０に限られず、上方に開口部１８を有する機器本体と、該機器本体に回転可能に取り付けられて前記開口部１８を開閉可能に閉塞する蓋体２４とを備え、蓋体２４に開放用の操作部材６２と、該操作部材６２の操作に連動するロック部６４とを有する家庭用電気製品であれば、いずれにも適用可能であり、同様の作用および効果を得ることができる。
【図面の簡単な説明】
【００３８】
【図１】本発明の実施形態に係る家庭用電気製品である炊飯器を示す要部断面図である。
【図２】図１の炊飯器を示す斜視図である。
【図３】図１の炊飯器を示す平面図である。
【図４】蓋体の分解斜視図である。
【図５】第１蓋部材を下方から見た斜視図である。
【図６】第２蓋部材を真上から見た平面図である。
【図７】炊飯器の変形例を示す要部断面図である。
【図８】炊飯器の他の変形例を示す要部断面図である。
【符号の説明】
【００３９】
１０…炊飯器（家庭用電気製品）
１２…炊飯器本体
１６…ヒンジ接続部
１６ａ…ヒンジスプリング
１８…開口部
２４…蓋体
２５…第１蓋部材
３５…露出部
３８…リブ
３９…第２蓋部材
５０…軸受部
５１…貫通孔
５３…凹部
５４…支持壁部
５５…挿通溝
５６…装飾カバー
６２…操作部材
６３…操作部
６４…ロック部
６５…軸部
６７…キックバネ
６８…バネ本体
６９…第１付勢部
７０…第２付勢部
【図１】
2008023176.tif 000003
【図２】
2008023176.tif 000004
【図３】
2008023176.tif 000005
【図４】
2008023176.tif 000006
【図５】
2008023176.tif 000007
【図６】
2008023176.tif 000008
【図７】
2008023176.tif 000009
【図８】
2008023176.tif 000010